(57)【要約】    【課題】  本発明の課題は、移動する収容部においてもデータ記憶媒体を安全に保管できるようにすることである。    【解決手段】  本発明は、円形のデータ記憶媒体、特にＣＤ及び／又はＤＶＤを保管するために少なくとも一つの収容部７を備えた乗物用保管ケースに関する。乗物用保管ケースの蓋８は、少なくとも一枚の円形のデータ記憶媒体に手を出せるように、展開するよう開けられるかずらして開けることができる。【選択図】  図５
2005280846.tif 000002
【特許請求の範囲】
【請求項１】
円形のデータ記憶媒体、特にＣＤ及び／又はＤＶＤを保管するために少なくとも一つの収容部（７）を備えた乗物用保管ケース（１；１３）であって、少なくとも一枚の円形のデータ記憶媒体に手を出せるように、乗物用保管ケース（１；１３）の蓋（８）が展開するよう開けられるかずらして開けられることを特徴とする乗物用保管ケース。
【請求項２】
乗物用保管ケース（１；１３）が、少なくとも部分的に互いに重なって配置された複数の収容部（７）を有することを特徴とする請求項１に記載の乗物用保管ケース。
【請求項３】
収容部（７）が互いに分離しているとともに、少なくとも横及び／又は中央に配置された連結構造体（９）によって一つに纏められていることを特徴とする請求項２に記載の乗物用保管ケース。
【請求項４】
乗物の内部構造要素に取り外し可能に固定するための少なくとも一つの取付け具（６）を有することを特徴とする請求項１ないし３のいずれかに記載の乗物用保管ケース。
【請求項５】
少なくとも２枚の円形のデータ記憶媒体が互いに並んで配置されうることを特徴とする請求項１ないし４のいずれかに記載の乗物用保管ケース。
【請求項６】
ブラインドに組み入れられていることを特徴とする請求項１ないし５のいずれかに記載の乗物用保管ケース。
【請求項７】
サンバイザー（１４）に組み入れられていることを特徴とする請求項１ないし６のいずれかに記載の乗物用保管ケース。
【請求項８】
収容部（７）がサンバイザー（１４）に嵌め込まれていることを特徴とする請求項７に記載の乗物用保管ケース。
【請求項９】
収容部（７）が横の開口部（１７）を有するとともに、サンバイザー（１４）に取り付けられた状態でデータ記憶媒体を横に挿入又は取り出し可能に配置されていることを特徴とする請求項７に記載の乗物用保管ケース。
【請求項１０】
サンバイザー（１４）の一方の面に収容部（７）が配置され、もう一方の面に機能的構成要素（１８）、特に鏡（１９）が配置されていることを特徴とする請求項７に記載の乗物用保管ケース。
【請求項１１】
サンバイザー（１４）の一方の面に収容部（７）と機能的構成要素（１８）、特に鏡（１９）とが配置されていることを特徴とする請求項７に記載の乗物用保管ケース。
【発明の詳細な説明】
【技術分野】
【０００１】
本発明は、円形のデータ記憶媒体を保管するために少なくとも一つの収容部を備えた乗物用保管ケースに関するものである。
【背景技術】
【０００２】
家庭で使用するとき、円形のデータ記憶媒体、特にＣＤ、ＤＶＤ、ＶＣＤなどのようにデータがフォーマットされたデータ記憶媒体は、保護された環境に保管されている。
【発明の開示】
【発明が解決しようとする課題】
【０００３】
本発明の課題は、移動する収容部においてもデータ記憶媒体を安全に保管できるようにすることである。
【課題を解決するための手段】
【０００４】
この課題は請求項１の特徴により解決される。さらに有利な形態及びさらにほかの形態がそれぞれ下位の請求項に記載されている。
【０００５】
請求項に係る本発明の乗物用保管ケースは、円形のデータ記憶媒体、特にＣＤ及び／又はＤＶＤを保管するために少なくとも一つの収容部を備えた乗物用保管ケースであって、少なくとも一枚の円形のデータ記憶媒体に手を出せるように、保管ケースの蓋が展開するよう開けられるかずらして開けられるように構成されている。
【０００６】
保管ケースは、特に表面が、硬質で特に耐衝撃性のある材料からなる。このため、例えば硬質のプラスチックを収容部に入れることができる。さらに乗物用保管ケースは、少なくとも１枚のデータ記憶媒体が安全に保持される核構造を有することが考えられる。硬質な構造の周りに軟らかい材料が配置されている。特に、その構造の回りにクッションを設けてもよい。
【０００７】
一つの形態によれば、乗物用保管ケースが、少なくとも部分的に互いに重ねて配列された複数の収容部を有することが示されている。このことにより、データ記憶媒体を場所を取らずに収容することが可能になる。その結果、乗物用保管ケースを乗物内の特に狭いさまざまな構造要素に配置することができる。
【０００８】
円形のデータ記憶媒体を保管するための収容部は、弾力性がありしかも硬質な材料で構成することができる。収容部はまた、弾力性のある結合構造と連結している部分的に硬質な結合構造を有することもできる。例えば、収容部がさらに、データ記憶媒体の位置固定もしくは定義された位置への配置に使われる取付け用支持具を有することが考えられる。これに関して収容部は、力及び／又は形が論理的にデータ記憶媒体と結合できる少なくとも一つの把持具を有してもよい。もう一つの形態として、収容部が、例えば弾力性を有し、データ記憶媒体を必要があればデータ記憶装置の上面又は下面に保持することが考えられる。さらに別の形態として、収容部がデータ記憶媒体の輪郭に合わせた受け入れ部を有することも考えられる。この受け入れ部では、データ記憶媒体を中心に置くことができる。その際、データ記憶媒体は、固定して配置してもあるいは動かせるように配置してもよい。後者は特に、乗物用保管ケースが安全な保管という主たる機能のほかに別の機能を有するときに有利である。これは例えば、データ記憶媒体から情報を受けるためのシステムを保管ケースに配置するか、もしくは配置可能であることを含んでいる。それによって、１枚又は複数枚のデータ記憶媒体をただ乗物に安全に収容できるだけでなく、安全に収容しかつ再生することができる。さらに、乗物用保管ケースにさらに追加の機能を組み入れることも考えられる。これは表示機能や入力機能、あるいはその他の再生機能でもよい。
【０００９】
さらにほかの形態によれば、乗物用保管ケースが、互いに分離した複数の収容部を有することが示されている。収容部は、少なくとも横及び／又は中央に配置された連結構造体によって一つに纏められているので、特に乗物用保管ケースを開けたときに、連結構造体が同時に引っ張り手段として役立つことになる。したがってその動きが一つの収容部から次へと伝達され、特に、収容部の間隔が互いに上下に開くことになる。
【００１０】
乗物用保管ケースは、乗物の内部構造要素に取り外し可能に固定するための少なくとも一つの取付け要素を有すると好都合である。これにより、乗物用保管ケースが乗物内でずれないように固定することができる。同時に、乗物内から再び取り外すことも可能で、特に、少なくとも乗物用保管ケースが配置された内部構造要素を破損しないように取り外すことが可能である。特に、取付け要素は、乗物用保管ケースと内部構造要素との結合・分離を何度も繰り返せるようなものである。取付け要素は、内部構造要素との相互作用で、外す力もしくは外す動きを加えることによってのみ再び分離できるという、確実でしかも分離可能な結合をする。これにより、乗物用保管ケースが乗物内で制御されずにあちこちへ飛ぶのを防ぐことができる。その結果、乗物内での乗客との事故が避けられる。
【００１１】
さらに別の形態によれば、少なくとも２枚の円形のデータ記憶媒体が乗物用保管ケース内に並べて配置されうることが示されている。これに関しては、共有の収容部を設けるとよく、それによって乗物用保管ケースの構成要素数を減らすことが可能になる。
【００１２】
さらにほかの形態によれば、乗物用保管ケースがブラインドに組み入れられていることが示されている。ブラインドは乗物内で動かせるように設けられていることが好ましい。ブラインドは、例えば中空部分を覆うことができる。ブラインドはまた、硬質カバーとして使うこともできる。
【００１３】
一つの形態によれば、乗物用保管ケースがサンバイザーに組み入れられていることが示されている。この場合、サンバイザーの構造は乗物用保管ケースに合わせられている。サンバイザーに完全に、特に分離不可能に組み入れられていてもよい。さらにほかの形態は、乗物用保管ケースがサンバイザーに繰り返し分離可能に組み入れられていることを示している。サンバイザー自体を乗物内、特に乗物の天井部分で動かせるよう配置することにより、サンバイザーを動かすことで一枚又は複数枚のデータ記憶媒体位置に手が伸ばせる位置に乗物用保管ケースを移動させることが可能になる。サンバイザーを他の位置に設けた場合、データ記憶媒体に手を伸ばすことはできない。このようにサンバイザーを配置できることにより、データ記憶媒体をさらに保護することになる。サンバイザーに収容する場合、特に、場合によっては太陽光線によって生じることもある熱が乗物用保管ケース内のデータ記憶媒体に直接到達するのを妨げるようにする。そのためデータ記憶媒体は、例えば、サンバイザーを使用するとき太陽に向けない面に配置することが考えられる。サンバイザーが、フロントガラスの方にもサイドガラスの方にも日が差し込むのを遮蔽できるよう懸架点の回りに９０度以上旋回する場合、データ記憶媒体はサンバイザーにおいてフロントガラスの反対側に収容されるのが好ましい。また、データ記憶媒体の保護のために、サンバイザーに断熱層を設けることも考えられる。
【００１４】
さらにほかの形態によれば、収容部がサンバイザーに嵌め込まれていることも考えられる。このようにすれば、サンバイザーを非常に薄型に形成できる。重ねて配列することにより、特に横に挿入物を重ねて配列することにより、乗物用保管ケースの厚さとそのために必要な横方向のスペースとをサンバイザーに必要なスペースに合わせることができる。さらにほかの形態は、サンバイザーに組み入れられた乗物用保管ケースが、横に開口を有する一つ又は複数の収容部を有し、サンバイザーに嵌め込まれた状態でデータ記憶媒体を横に挿入又は取り出し可能であることを示している。一つの形態によれば、例えばぱたんと上げたサンバイザーで、データ記憶媒体が横に取り出せることが示されている。もう一つの形態によれば、ぱたんと上げたサンバイザーで、データ記憶媒体を乗物用保管ケースから使用者の方に取り出せることが示されている。それによって、乗物用保管ケースを組み入れたサンバイザーは、助手席からも運転席からも使用することが可能である。さらに、サンバイザーの一方の面に収容部を配置し、もう一方の面に他の機能的構成要素を配置することもできる。特に機能的構成要素が鏡であるとよい。しかし、機能的構成要素は表示手段や入力手段などでもよい。もう一つの形態は、サンバイザーの一方の面に収容部と機能的構成要素、特に鏡が配置されていることを示している。取付け要素で結合する場合、例えば照明などのために電気を供給できるようにしてもよい。
【００１５】
乗物用保管ケースは、その中に複数のデータ記憶媒体を詰め込むことができることが望ましい。特に、乗物用保管ケースに合計３〜８枚の円形のデータ記憶媒体、好ましくは５〜７枚、とりわけ６枚の円形のデータ記憶媒体を収めることができるとよい。
【００１６】
さらに有利な形態及びさらにほかの形態は、この後の図面に示されている。ただし、図面に表現された特徴はそれぞれの形態に限定されるものではなく、他の特徴、特に上記の特徴を組み合わせたさらに別の形態も考えられる。
【発明を実施するための最良の形態】
【００１７】
図１は、閉じた乗物用保管ケース１の上からの斜視図を示す。乗物用保管ケース１は、第一のシェル２と第二のシェル３とを有する。第一のシェル２と第二のシェル３は、一緒に延びている全周縁部にわたって互いに分離できることが好ましい。これにより、第一のシェル２と第二のシェル３の内部に、シェル２・３及びシェル２・３内に配置された収容部を一緒につなぎ合わせる連結構造体を配置することが可能になる。第二のシェル３は、第一のシェル２と第二のシェル３を開けることができる操作部４を有する。操作部４を押すことで開けられるのが望ましい。第一のシェル２と第二のシェル３の間に、適当なロック機構が設けられている。ロック機構は、例えば力及び／又は形が論理的に作られているとよい。例えば操作部４が、操作部４に抵抗するもう一方の部分とは別の材料からなることが考えられる。例えばプラスチックを使うと、部品は軟らかく、とくに他より軟らかいので、シェル２・３を開いたり閉じたりすることが可能になる。ラッチ機構も使用することが考えられる。シェル２・３が当たる突合せ部５は、乗物用保管ケース１の周囲に沿って延びていることが望ましい。特に、突合せ部５がこのようにぴったり形成されていると、パッキンとしても作用することが可能である。しかし、パッキンは別に設けてもよい。このことにより水しぶきや湿気から保護することができる。乗物用保管ケース１はさらに、取付け具６を有する。取付け具６を介して、乗物用保管ケースを乗物の内部構造要素に取り付けることができる。取付け具６は、例えば図のように、差込手段で内部構造要素と結合させてもよい。差込手段には、例えばほぞ穴結合が含まれ、それを介して中心軸に合わせるとともに位置決めを行うことができる。取付け具６は、確かな抵抗を超える適当な力を加えることによってのみ乗物用保管ケース１を取付け具６を介して内部構造要素から引き離せることが望ましい。さらに、安全のためにロックしてもよい。これに関しては、内部構造要素の適当な結合構造に取付け具６を挿入し、それからねじりや旋回などの動きで乗物用保管ケース１を所定の位置に嵌めたりロックしたりすることが考えられる。
【００１８】
図２は、図１に示した乗物用保管ケース１が開いている状態を示す。シェル２・３の間に３つの収容部７が配置されている。収容部７は直接又は間接的にシェル２・３をつなぐ作用をする。第二のシェル３を第一のシェルから分離することで乗物用保管ケース１を展開するよう開けると、蓋としての第二のシェル３が展開するよう下がるので収容部７に手を伸ばすことが可能になる。収容部７は、連結構造体９により互いに上下に間隔を保つことができる。そのとき、連結構造体９は、乗物用保管ケース１を展開するよう開けたときに前へ出てくるようにするため、異なった長さを有しているとよい。図示のように、シェル２・３は、開いた状態で直接互いに結合しているのではないし、特に、間に蝶番が配置されているのでもない。このことにより二つのシェル２・３の間でそれぞれが自由に動くことが可能になる。したがって、収容部７に手を出しやすくなる。
【００１９】
図３は、開いた状態の乗物用保管ケース１を示す。収容部７は、２枚のデータ記憶媒体を並べて配置することができる。特に乗物用保管ケース１をコンパクトにするため、収容部７は、データ記憶媒体に合わせた外観を有する。その輪郭は乗物用保管ケース１の外観に写されている。このようにして、特に場所をとらない構成に成功しているが、その際、２枚のデータ記憶媒体の間の平面は、操作部４及び連結構造体９のために利用できる。連結構造体９は、特に、乗物用保管ケースを再びきちんと閉めたときに折りたためる弾力性のあるプラスチックなどの材料で形成することが考えられる。収容部７は、心合わせ部材１０のほかに保護縁１１を有する。そのことにより、データ記憶媒体を嵌め込んだときに端がぶつかってデータ記憶媒体が破損するのを回避できる。さらに、収容部７は、各データ記憶媒体のために切り欠き１２を有し、収容部７においてデータ記憶媒体を取ったり嵌め込んだりしやすいようにしている。さらにほかの形態によれば、連結構造体９は特に伸縮性も有することが考えれられる。これにより、収容部７に力を加えたときに、例えば第一のシェル２に対してまださらに動かすことが可能になる。シェル２・３間の突合せ部５は、パッキンとしての段を有する。しかし、互いに重なっている平らな面でもよい。この場合、例えば面を押し付けることにより隙間を塞ぐことができる。
【００２０】
図４は、第二の乗物用保管ケース１３を示す。第二の乗物用保管ケース１３は、サンバイザー１４として構成されている。そのため蓋８がサンバイザー１４に取り付けられている。特に、サンバイザー１４は、少なくとも大部分の表面が平らである。蓋８は蝶番でサンバイザー１４に配置されている。蝶番による取り付けは、取付け具６の軸と平行に延びているのが望ましい。取付け具６は、例えば、乗物の内部構造要素に差し込むことが考えられる。そのために、取付け具６はピン受け部１５あるいはまたそれ自体がピンを有することが考えられる。このようにして、サンバイザーの向きを変えることが可能で、同時に第二の乗物用保管ケース１３も同様に向きを変えられる。一つの形態によれば、その際、適当な蝶番で内部構造要素と結合することにより、任意の方向に向きを変えることができる。
【００２１】
図５は、蝶番でサンバイザー１４と結合している蓋８が展開するよう開いている状態を示す。サンバイザー１４内に配置された中空部分１６に収容部７がある。これらは横に開口部１７を有する。したがって、蓋８を開けたときに、挿入したデータ記憶媒体がサンバイザー１４からこちらへ落ちるのを防ぐことができる。さらに、サンバイザー１４は開口領域２１を有する。ここに、例えば手を掛けて蓋８を開けることができる。
【００２２】
図６は、サンバイザー１４の形状をした第二の保管ケース１３の裏面を示す。裏面には機能的構成要素１８が組み入れられている。機能的構成要素は、特に鏡１９である。機能的構成要素１８、特に鏡１９は、保護要素２０で覆ってもよい。保護要素２０は向きを変えることが可能で、特に展開するよう開くことが可能であることが望ましい。けれどもまた、ずらせるようにサンバイザー１４に配置することも考えられる。特に、機能的構成要素１８をサンバイザー１４の表面に形成することが考えられる。それによりサンバイザー１４の内部で、より大きい空間をデータ記憶媒体の保管のために自由に使うことができる。けれども、さらにほかの形態によれば、機能的構成要素１８が少なくともサンバイザー１４に嵌め込まれていることも考えられる。
【００２３】
図７は、蓋８と保護要素２０が開いている状態のサンバイザー１４を示す。蓋８も保護要素２０も、それぞれロック抵抗を超える力でサンバイザー１４の残りの部分に対して動かせるように配置されていることが好ましい。さらに、少なくとも蓋８は、展開するよう開いた状態でかみ合う位置になることが考えられる。それにより、意図せずに蓋８が閉まるのを防げる。蓋８は、取付け具６も配置されているサンバイザー１４の側面に、蝶番で結合されているが、このほかさらに、蓋８が蝶番で他の面に配置されていることも考えられる。それは、サンバイザー１４の横の面でも取付け具６に向かい合う面でもよい。同じことが保護要素２０を蝶番で配置することについても言える。
【００２４】
図８は、サンバイザー１４の側面図で、ここでは蓋８も機能的構成要素１８も閉じられている。開口領域２１は、例えばサンバイザー１４の周縁部２３からはみ出ている縁２２を有する。これにより蓋８をつかみやすく、また開けやすくなる。さらにほかの形態によれば、蓋８を閉めたときにサンバイザーの内部に配置される収容部７が、蓋８を開けることによって蓋８と一緒に動くことが示されている。収容部はその場合、特に蓋８に取り付けられている。そのほかに、蓋８を展開するよう開けたときに、収容部がアコーディオンのような扇形に広がることも考えられる。
【００２５】
図９は、第一のサンバイザー２５と第二のサンバイザー２６の配置を示す。サンバイザー２５・２６は、乗物の上部の領域に、それぞれ取付け具を介して内部構造要素２７に取り付けられている。第一のサンバイザー２５は、乗物の天井に向かい合うようにぱたんと上げられている。機能的構成要素１８は、矢印で示すように展開するよう開けられている。鏡１９はこの場合、展開するよう開く部分に配置されているので、任意の位置に向きを変えることが可能である。向きを変えるほかに、例えば適当な蝶番で第一のサンバイザー２５に結合することにより、鏡１９をねじることも可能である。第二のサンバイザー２６は、ガラス部分を覆って太陽光線を遮蔽する位置に展開するよう下げられている状態である。蓋８は、矢印で示すように展開するよう開いている。第二のサンバイザー２６の内部に、特に横に取り出すことが可能な複数のＣＤが配置されている。それらのＣＤは、例えばフリースやそのほかの柔らかい素材で保持されていて、素材が柔らかいために相応した収容部７に挿入することができる。そのほか、蓋８のＣＤを入れる側が、例えば鏡のような機能も有することが考えられる。第二のサンバイザー２６に６枚のＣＤが配置できることが望ましい。
【００２６】
図１０は、取付け具６を介して乗物の内部構造要素２７に取り付けられた乗物用保管ケース１を示す。内部構造要素２７は、好ましくは中央コンソールである。内部構造要素が、固定のために取付け具６を挿入して固定できる案内レールを有することが考えられる。また、内部構造要素は、取り付け用の挿入嵌合部を有してもよい。乗物用保管ケース１に配置されたＣＤは、前にも横にも取り出せることが好ましい。特に中央コンソールに配置することによって、乗物用保管ケース１は、運転者にも助手席の人にも利用可能となる。コンソールへは、例えば乗物用保管ケースを開けるために、特に下方に開けている間にコンソールの下方の何もない空間が役に立つように配置されている。
【００２７】
乗物用保管ケースはただ一つの取付け具６を有するのが好ましい。これは、例えば図１０に示されたように、上面の中央に配置されるとよい。けれども、取付け具は図９に記載したように横に配置してもよい。二つの取付け具を設ける場合には、乗物用保管ケースのただ一方の側に配置するのが好ましい。これにより、固定点によって乗物用保管ケース自体の乗物への配置を変えることができる。プラスチック、例えばポリプロピレンなど、特に衝撃に強いプラスチックのほかに、ポリエチレン、フリース、発泡素材、金属、特に端部強化用もしくは枠用の金属、及び／又は他の工業材料もしくは素材も使用することができる。
【図面の簡単な説明】
【００２８】
【図１】第一の乗物用保管ケースの斜視図である。
【図２】図１の乗物用保管ケースが開いた状態を示す側面図である。
【図３】図２の乗物用保管ケースの前面図である。
【図４】サンバイザーの形状の第二の乗物用保管ケースを示す。
【図５】蓋が開いている第二の乗物用保管ケースを示す。
【図６】機能的要素を組み入れた第二の乗物用保管ケースの下面を示す。
【図７】第二の乗物用保管ケースを組み入れたサンバイザーの側面図で、蓋及び機能的要素が開いた状態を示す。
【図８】蓋及び機能的要素が閉じた状態のサンバイザーの側面図である。
【図９】乗物内のサンバイザーとしての二つの乗物用保管ケースの配置を示す。
【図１０】乗物の中央コンソールに配置された乗物用保管ケースを示す。
【符号の説明】
【００２９】
１・１３  乗物用保管ケース
２  第一シェル
３  第二シェル
４  操作部
５  突合せ部
６  取付け具
７  収容部
８  蓋
９  連結構造体
１０  心合わせ部材
１１  保護縁
１２  切り欠き
１４・２５・２６  サンバイザー
１５  ピン受け部
１６  中空部分
１７  開口部
１８  機能的構成要素
１９  鏡
２０  保護要素
２１  開口領域
２２  縁
２３  周縁部
２７  内部構造要素
【図１】
2005280846.tif 000003
【図２】
2005280846.tif 000004
【図３】
2005280846.tif 000005
【図４】
2005280846.tif 000006
【図５】
2005280846.tif 000007
【図６】
2005280846.tif 000008
【図７】
2005280846.tif 000009
【図８】
2005280846.tif 000010
【図９】
2005280846.tif 000011
【図１０】
2005280846.tif 000012